(57)【特許請求の範囲】
【請求項１】
男性用節水小便器であって洗浄済み洗浄水を、廃棄と再使用のため貯水タンクに回収しなければならない循環式小便器の底部ボウル排水口下方に、尿、及び洗浄のための廃棄水と回収水の切換えをするために、
一つの遠心分離容器内に内円容器部と外円容器部を形成し、
その間を、間仕切りで仕切られたそれぞれの容器底部に廃棄孔と回収孔を設けて、
容器中央に回収水を遠心力で跳ね飛ばす回転体を配置し、
回転体の停止、及び回転時の遠心作用で、内円容器部と外円容器部とに流路切換することを特徴とする遠心分離切換器を有する男性用節水小便器。
【請求項２】
遠心分離器容器部と貯水タンク容器部とが一体とされた請求項１に記載の男性用節水小便器。
【発明の詳細な説明】
【発明の詳細な説明】
【技術分野】
【０００１】  本発明は、水洗式小便器に於いて、廃棄と回収とを切換える構造を持つ循環式小便器の流路切換えを遠心分離器により簡易な構造と制御とし、尚且つ、循環式小便器の貯水タンクに体毛や異物等が入りにくく清掃簡単なストレーナを有し、さらに、殺菌消臭水を生成する薬液ポンプを水圧利用による無電源化を実現し、洗浄水量を節水しても尿石を生じさせない上に便器洗浄を十分に行うために循環洗浄する男性用節水小便器に関するものである。
【背景技術】
【０００２】  従来、市販されている男性用節水小便器の洗浄水量は１回当たり約１．２リットルであるが、その量だと設置現場によっては尿石付着による便器の汚れや悪臭がトイレ内に漂うため、結果的に２リットル以上の水量にしてしまうことが多い。尿石生成の要因はいくつかあるが、主因は温度上昇と時間経過に伴い、尿と水道水のｐＨ値が上昇してカルシュウムの溶解が飽和状態を超え、カルシュウム化合物が沈殿するため尿石として付着して堆積していく。昨今のＣｏ２削減という社会的ニーズの高まりは、小便器の節水化にも注目が集まっている。【０００３】  そこで、一部の便器メーカーは、小便器内に於いて洗浄水を電気分解方式で次亜塩素酸水化して実用化している。しかし、電気分解方式はメンテナンスに負荷がかからない反面、高殺菌力を得られにくいという欠点がある。一方、薬液によって殺菌消臭を行う方法も提案されている。薬液方式はサプライに負荷がかかるものの薬液の効能次第では節水化に対応しやすい特徴をもっている。【０００４】  薬液方式では、例えば、薬液容器及び供給容器からなる薬液供給部からの薬液の量と、給水管からの水量とを開閉弁を制御することにより調整する水洗式小便器の薬剤溶液注入装置（特許文献１参照）や、水圧シリンダー内に水道水、薬液を混合させて次亜塩素酸水を洗浄水として使用する（特許文献４参照）などが提案されている。【０００５】  洗浄水を循環をさせる男性用循環式水洗トイレは、便器内面を洗浄したあとの洗浄水を貯水タンク内に回収して再使用するのであるが、回収時に体毛や異物等も混入するため、排除するストレーナ等に（特許文献５参照）などが提案されている。【０００６】  さらに、洗浄水を循環をさせる男性用循環式水洗トイレは、便器排水出口に切換弁を有し、通常は弁の方向は尿と廃棄水を排水する方向に導くが、タンクへの回収時は弁方向を切換えてタンク側に導水する（特許文献２参照）例が提案されている。その洗浄水流路の切換弁構造において（特許文献５参照）も提案されている。
【先行技術文献】
【特許文献】
【０００７】
【特許文献１】特開２００３−１５５７６８号公報
【特許文献２】特許第３８５３８２５号公報
【特許文献３】特許第５１２６７４０号公報
【特許文献４】特開２０１３−２４１７６７号公報
【特許文献５】特開２０１４−７０３７４号公報
【特許文献６】特開２０１４−８４６１９号公報
【非特許文献】
【０００８】
【非特許文献１】株式会社ハセッパー技研（ｈｔｔｐ：／／ｗｗｗ．ｈａｃｃｐｐｅｒ．ｃｏ．ｊｐ／ｉｎｄｅｘ．ｈｔｍｌ）
【非特許文献２】株式会社マッキンリー（ｈｔｔｐ：／／ｃｅｌａ−ｍｃｋｉｎｌｅｙ．ｊｐ／）
【発明の概要】
【発明が解決しようとする課題】
【０００９】  しかしながら、上記した特許文献１に記載の技術では、水洗式小便器において薬剤溶液注入装置の薬液供給部は、薬液容器及び供給容器の他にポンプ電源を必要とする一方、開閉弁を開閉制御する独立した制御装置を必要とするため、装置全体が複雑になると共にコストが増大するといった問題があった。【００１０】  また、特許文献３及び特許文献４に記載の技術では装置を便器洗浄ノズルに直接接続をして放水をする方法であるため、本発明のように、循環用貯水タンクに貯水した殺菌消臭水を洗浄水に使う技術ではない。【００１１】  また、特許文献５の技術では、便器にストレーナを出し入れする脱着孔を設けなければならないため便器デザインを損ねる上に、貯水タンクからの水漏れの心配があり、コストもかかり過ぎる。【００１２】  また、特許文献２参照及び特許文献５参照に記載の技術では、切換弁の開閉機構とその制御が複雑になりがちなうえ、接液部が摩耗しやすいために水漏れなどのトラブルが生じやすいという欠点があった。【００１３】  さらに、上記した非特許文献１及び非特許文献２に記載の技術では、殺菌消臭水を生成する装置が複雑化すると共に大型化するといった問題があり高価になる。【００１４】  本発明は、上記した課題を解決すべくなされたものであり、簡素化及び低コスト化を図ることのできる男性用節水小便器を提供するものである。
【課題を解決するための手段】
【００１５】  本発明は循環式小便器に於いて、尿や廃棄水と回収水を貯水タンクへ流路切換えするための切換弁の代わりに、遠心分離切換器を使って流路切換をする構造である。遠心分離切換器は小便器の便器ボウル排水口の下方に多孔状のストレーナ（体毛などの異物除去）を介し、内円容器部と外円容器部に区分けされた容器の中央に設けられた回転ファンにより回収水を遠心力で跳ね飛ばす構造である。【００１６】  回転ファンが停止中は、尿や廃棄水はストレーナを経て停止中の回転ファンの上面に落ちながら内円容器部に落下し接続された排水管から廃棄される。次に、循環水として回収する場合は、回転ファンを回転させることで遠心力によって外円容器部に跳ね飛ばされてタンク内に回収される。また、遠心分離切換器と貯水タンクをコスト低減のために同一容器とすることを特徴とする。【００１７】  また、本発明は貯水タンクへの体毛や異物等混入防止策として、便器ボウル排水口下方に容易に出し入れ可能で、清掃時の作業負担を軽減出来るストレーナを有することを特徴とする。【００１８】  また、本発明は節水に伴う尿石の生成付着と悪臭を防止するために薬液を使用する。その薬液を微量定量供給する薬液ポンプに、水圧を動力源とする無電源化した薬液ポンプを有している。【００１９】  また、上記薬液ポンプで供給する第１薬液は次亜塩素酸ナトリウムを含み、第２薬液は塩酸を含むことを特徴とする。【００２０】  水は、電磁弁を介して給水管に接続される第１の薬液ポンプ、或は第２の薬液ポンプを通過するが、開放口のバルブを絞ることで放水する際に生じる給水管内部の水圧上昇が、水圧シリンダーの推力と復帰用のコイルスプリングで水圧シリンダー内のピストンを進退可能とし、併設された吸入排出可能な逆止弁構造にて接続された薬液シリンジを設け、第１薬液と第２薬液と水とを混合して貯水タンク内に殺菌消臭水として放水される。薬液シリンジはバネの復元力で復帰するときに薬液を吸入し、水圧が加わった時に排出するため、電磁弁で給水を開閉制御するだけで簡易に殺菌消臭水を生成することが出来る。
【発明の効果】
【００２１】  本発明によれば、循環式小便器に於いては、尿及び廃棄水と回収水の切換えを、構造と制御がシンプルな貯水タンク一体形状の遠心分離切換器にすることで、低コストなトラブルの少ない循環式節水小便器とすることが出来る。【００２２】  さらに、遠心分離切換器の上方に多孔状のストレーナを備え、ストレーナが体毛や異物等のために目詰りした場合に、便器ボウル排水口の目皿を外して、その便器ボウル排水孔の孔口から体毛や異物などを除去し掃除することが出来るため、ストレーナ清掃を容易に行うことが出来る。【００２３】  また、洗浄後に廃棄する予備洗浄水と、回収してほぼ繰返し使用する本洗浄水を強力な殺菌消臭水とするために、小便器内において薬液を使用して殺菌消臭水を生成する薬液ポンプを有し、薬液の供給を行う薬液ポンプの動力源に貯水タンク内に供給する水の圧力を利用することで、特別な駆動源と制御を必要とせず微量定量の薬液供給を行い、第１薬液と第２薬液と水を使い、低コストな上に強力な殺菌力をもつ次亜塩素酸水を生成する方法によって殺菌と消臭を行い、尿石の発生や悪臭を抑えつつ大幅な水の節約が可能である。
【図面の簡単な説明】
【００２４】
【図１】本発明の全体をを示す男性用節水小便器の斜視図である。
【図２】本発明の遠心分離切換器と貯水タンク一体形状の斜視図である。
【図３】本発明の遠心分離切換器と貯水タンク一体形状のＡ−Ａ線矢視図である。
【図４】本発明の遠心分離切換器と貯水タンク一体形状のＢ−Ｂ線矢視図である。
【図５】本発明の遠心分離切換器と貯水タンク一体形状の回転ファン部斜視図である。
【図６】本発明の軟質体ストレーナ斜視図である。
【図７】本発明の装着と取出しの様子を示す断面図である。
【図８】本発明の第１の実施例による非通水時の殺菌消臭水生成装置断面図である。
【図９】本発明の第１の実施例による通水時の殺菌消臭水生成装置断面図である。
【図１０】本発明の第２の実施例による非通水時の殺菌消臭水生成装置断面図である。
【図１１】本発明の第２の実施例による通水時の殺菌消臭水生成装置断面図である。
【発明を実施するための形態】
【００２５】  以下、図面を参照しつつ、本発明の実施の形態について説明する。
【００２６】  先ず、図１〜図５に示すように、本発明の男性用節水小便器１は、便器本体５の人感センサ４が使用者を感知している間は用便中とみなし、使用者の尿は便器本体５の便器ボウル排水口６から下方に流水する際に、便器ボウル排水口６の下方に位置する遠心分離切換器７のストレーナ８の多孔状通水孔から、毛や異物等が取り除かれて停止中の回転ファン１７の上に落下する。
【００２７】  回転ファン１７の上に落下した尿は、回転ファン１７の外周面１７ａを伝って遠心分離切換容器７の内円容器部７ｂに自然落下する。このときに、ストレーナ８の多孔状通水孔は穿孔面積１６以内の範囲であり、外円容器部７ｃとの間仕切り部７ａがストレーナ８の穿孔面積１６よりも広いため、外円容器部７ｃには入り込まず内円容器部７ｂに接続された尿落口７ｄより臭気遮蔽板１８を押し倒して排水ダクト管１９より排水経路１９ａのごとく排水される。
【００２８】  用便を終えた使用者が人感センサー４の感知外に離れると、貯水タンク９内に貯水された殺菌消臭水２３が、流量計１０によって正確に流量管理された流量を、吸引管１１と接続された循環ポンプ１２によって、送水管１３と送水経路１４を経て洗浄ノズル１５から放水され便器内を予備洗浄する。コスト低減のために、流量管理は少し大雑把になるが流量計１０を介せずタイマーで制御する方法もある。
【００２９】  この殺菌消臭水２３は上記尿の場合と同様に、便器本体５の便器ボウル排水口６から下方に流水する際に、便器ボウル排水口６の下方に位置する遠心分離切換器７のストレーナ８の多孔状通水孔から、毛や異物等を取り除かれて停止中の回転ファン１７の上に落下する。
【００３０】  上記尿の場合と同様に、回転ファン１７の上に落下した殺菌消臭水２３は、回転ファン１７の外周面１７ａを伝って遠心分離切換容器７の内円容器部７ｂに自然落下する。このときに、ストレーナ８の多孔状通水孔は穿孔面積１６以内であり、外円容器部７ｃとの間仕切り部７ａが穿孔面積１６よりも広いため外円容器部７ｃには入り込まず、内円容器部７ｂに接続された尿落口７ｄより臭気遮蔽板１８を押し倒して排水ダクト管１９より排水経路１９ａのごとく排水される。
【００３１】  予備洗浄を終えると、遠心分離切換器７のモータ２５に伝導された回転ファン１７が回転するとともに循環ポンプ１２が作動し、貯水タンク９内に貯水された殺菌消臭水２３が、流量計１０によって正確に流量管理された流量を吸引管１１と接続された循環ポンプ１２によって、送水管１４を経て洗浄ノズル１５から放水され便器内を本洗浄する。このときの流量は、回収目的のため、流量計１０でとくに正確に管理される必要もないためタイマー制御しても良い。
【００３２】  また、この殺菌消臭水２３は廃棄せずに回収するため、便器本体５の便器ボウル排水口６から下方に流水する際に、便器ボウル排水口６の下方に位置するストレーナ８の多孔状通水孔から、毛や異物等が取り除かれて回転方向１７ｂのごとく回転中の回転ファン１７の上に落下する。回転ファン１７の上に落下した殺菌消臭水２３は、回転ファン１７の遠心力で遠心分離切換容器７の外円容器部７ｃ方向に跳ね飛ばされて落下する。外円容器部７ｃに落下した殺菌消臭水２３は、遠心分離切換器７と貯水タンク９に連結されたタンク流路２０を流水方向２１のごとく貯水タンク９内に回収される。
【００３３】  貯水タンク９内では、予備洗浄で廃棄した殺菌消臭水２３が使用回数ごとに減少するため、液量制御を行うフロートスイッチ２２がフロートスイッチＢ２２ｂの作動点レベルまで減少すると、電磁弁３１が開いて貯水タンク９の取水口９ａから新しい殺菌消臭水を取り込む。貯水タンク９内の殺菌消臭水２３の殺菌消臭水液面２４が、フロートスイッチＡ２２ａ作動点レベルに達すると電磁弁３１は閉じる。
【００３４】  次に、図６〜図７を参照しつつ、本発明のストレーナについて説明する。
【００３５】  循環式小便器は、便器内面を洗浄した後の洗浄水を再使用するために貯水タンクに回収するが、その際に、体毛や異物等も混入する。再使用時に、混入した体毛などが洗浄ノズルから噴出するのは不衛生な印象を与えるうえ通水路内の詰まりの原因になる。従って、循環式小便器はとくにストレーナの良否が問われることになる。さらに、良好なストレーナが体毛や異物等を逃さず採集しても、後の清掃が面倒では清掃の頻度が減る原因になりストレーナ詰まらせてしまうため簡単な清掃方法を求められる。
【００３６】  図１〜図３参照のストレーナ８は、便器ボウル排水口６の下方と回転ファン１７との間にあって、体毛や異物等を貯水タンク９内に入るのを防ぐことが目的であるが、このままだと、清掃時は便器ボウル排水口６の小さな開口部から行わなければならず作業しにくい難点がある。作業の効率を考慮すれば、ストレーナ８の多孔状面積が便器ボウル排水口６の開口部面積ぐらいであれば作業もし易いが、反面、目詰まりしやすく排水速度も鈍化しがちであるため、ストレーナ８の多孔状面積は大きいほど排水速度も良好になる。そのため、ストレーナ８の多孔状面積は大きくしつつも清掃作業の効率化を図ることが望ましい。
【００３７】  そこで、本発明によるストレーナは、ストレーナ８の上方に、伸縮と折りたたみ可能な軟質材料を多孔状にした軟質体ストレーナ２６に、便器ボウル排水口６の孔に出し入れ容易にする把手部２７を設け、通常は図６及び図７（ａ図）のような形状であるが、装着時、或は取外し時は軟質材料の柔軟性を活かして図７（ｂ図）の伸縮、折りたたまれた軟質体ストレーナ２６ａのように伸縮・折りたたみながら出し入れを行う。そして、完全に装着後の軟質体ストレーナ２６は、図７（ｃ図）のように元の図６及び図７（ａ図）の形状に戻る。なお、本発明によるストレーナを実施する際には、ストレーナ８の目的は本発明によるストレーナの受台とするため多孔状の孔は無くてもよい。
【００３８】  また、本発明によるストレーナを、便器ボウル排水口６の上方に被せる目皿と同体に設けることにより出し入れの効率化を図る事も出来る。
【００３９】  次に、図８〜図９を参照しつつ、本発明の男性用節水小便器に使われる第１の実施の形態に係る殺菌消臭水生成装置について詳細に説明する。
【００４０】  第１の実施の形態は、薬液を吸入排出するシリンジ筒と薬液シリンジロッドを、市場で販売されているシリンジ製品を活用する構造である。ここで、図８は２組の薬液ポンプにおいてシリンダ筒内に水を供給しない待機状態を示す断面図。図９はシリンダ筒内に水を供給して殺菌消臭水の生成を行う状態を示す断面図である。
【００４１】  なお、第１の薬液ポンプ３３と第２の薬液ポンプ５１は同じ構造であるが、１組の薬液ポンプを使用して悪臭対策などの単機能効果を対象とする場合と、第１の薬液ポンプ３３と第２の薬液ポンプ５１を直列、或は並列に接続して水と次亜塩素酸ナトリウムと塩酸を混合して強力な殺菌消臭が可能な次亜塩素酸水を生成する方法とを選択できる。
【００４２】  本発明の第１の実施の形態による殺菌消臭水生成装置３０が、作動待機状態にある第１の薬液ポンプ３３について図８にて説明する。
【００４３】  第１の薬液ポンプ３３は、給水口２と、電磁弁３１を介して給水設備３２に接続される第１のシリンダ筒３４と、第１のシリンダ筒３４内を進退可能な第１のピストン３５と第１のシリンダ筒３４内の水圧が失われたときに復帰する第１のシリンダーコイルバネ３６が周設され上方に付勢される。
【００４４】  第１の薬液を貯留する第１薬液容器３７と、第１薬液容器３７に第１の送液管Ａ３８を介して第１の送液方向Ａ３９の第１の逆止弁Ａ４０と、第１の三方口アダプタ４１に接続される第１のシリンジ筒４２と、第１のピストン３５の進退動作に伴って第１のシリンジ筒４２内を進退可能に設けられる第１の薬液シリンジロッド４３が、第１のシリンダ筒３４内の水圧が失われたときに復帰する第１のシリンジコイルバネ４４が周設され上方に付勢される。
【００４５】  殺菌消臭水生成装置３０の電磁弁３１が閉じた時（待機状態）は、給水設備３２内の水圧が皆無になるため、第１のピストン３５は第１のシリンダーコイルバネ３６の反発力で元の位置に復帰する。それに伴って、第１のシリンジ筒４２内の薬液の吸入排出を行う第１の薬液シリンジロッド４３は、第１のシリンジコイルバネ４４の反発力で元の位置に復帰する。その際に、第１薬液容器３７の第１薬液は、第１の送液方向Ａ３９へ第１の逆止弁Ａ４０と、第１の三方口アダプタ４１を経て第１のシリンジ筒４２内に吸引されて留まり次の排出のために貯留して待機する。
【００４６】  本発明の第１の実施の形態による殺菌消臭水生成装置３０が、作動待機状態にある第２の薬液ポンプ５１について図８にて説明する。
【００４７】  前記第１の薬液ポンプ３３と同様に、給水口２と電磁弁３１を介して給水設備３２に接続される第２のシリンダ筒５２と、第２のシリンダ筒５２内を進退可能な第２のピストン５３と第２のシリンダ筒５２内の水圧が失われたときに復帰する第２のシリンダーコイルバネ５４が周設され上方に付勢される。
【００４８】  前記第１の薬液ポンプ３３と同様に、第２の薬液を貯留する第２の薬液容器５５と、第２の薬液容器５５に第２の送液管Ａ５６を介して第２の送液方向Ａ５７の第２の逆止弁Ａ５８と、第２の三方口アダプタ５９に接続される第２のシリンジ６０と、第２のピストン５３の進退動作に伴って第２のシリンジ筒６０内を進退可能に設けられる第２の薬液シリンジロッド６１が、第２のシリンダ筒５２内の水圧が失われたときに復帰する第２のシリンジコイルバネ６２が周設され上方に付勢される。
【００４９】  前記第１の薬液ポンプ３３と同様に、殺菌消臭水生成装置３０の電磁弁３１が閉められた時（待機状態）は、給水設備３２内の水圧が皆無になるため、第２のピストン５３は第２のシリンダーコイルバネ５４の反発力で元の位置に復帰する。それに伴って、第２のシリンジ筒６０内の薬液の吸入排出を行う第２の薬液シリンジロッド６１は、第２のシリンジコイルバネ６２の反発力で元の位置に復帰する。その際に、第２薬液容器５５の第２薬液は、第２の送液方向Ａ５７へ第２の逆止弁Ａ５８と、第２の三方口アダプタ５９を経て第２のシリンジ筒６０内に吸引されて留まり次の排出のために貯留して待機する。
【００５０】  本発明の第１の実施の形態による殺菌消臭水生成装置３０が、殺菌消臭水を生成する状態の第１の薬液ポンプ３３について図９にて説明する。
【００５１】  給水口２から約０．２〜０．７４Ｍｐａの水圧で電磁弁３１を開くと、水は給水設備３２を介して第１の薬液ポンプ３３と、第２の薬液ポンプ５１とバルブ６８と混合器５０を経て貯水タンク９内に噴射する。その際、バルブ６８の調節でバルブ６８からの出水量を制限すると給水設備３２内の水圧は上昇する。この上昇圧力を利用してシリンダ筒内のピストンを進退可能にする。なお、混合器５０は薬液を貯水タンク９内に直接送液する場合は特に必要としない。
【００５２】  給水設備３２内の水圧が上昇すると、第１のピストン３５は、第１のシリンダーコイルバネ３６を圧縮して第１の水圧シリンダーストッパ３４ａの位置まで押し込む。その際に、第１のピストン３５の第１のピストン突き面３５ａが、第１のシリンジ筒４２内で薬液の吸入排出を行う第１の薬液シリンジロッド４３の第１のシリンジロッド頭部４３ａと接っして進退可能になることで、第１のシリンジコイルバネ４４を圧縮して、第１の三方口アダプタ４１と第１の送液管Ｂ４７を介して、第１の逆止弁Ｂ４９が、第１の送液方向Ｂ４８に第１薬液容器３７の第１薬液を混合器５０に送液する。なお、混合器５０を省いて第１の送液管Ｂ４７を介して貯水タンク９内に直接送液することも出来る。
【００５３】  本発明の第１の実施の形態による殺菌消臭水生成装置３０が、殺菌消臭水を生成する状態の第１の薬液ポンプ５１について図９にて説明する。
【００５４】  前記第１の薬液ポンプ３３と同様に、給水設備３２内の水圧が上昇すると、第２のピストン５３は、第２のシリンダーコイルバネ５４を圧縮して第２の水圧シリンダーストッパ５２ａの位置まで押し込む。その際に、第２のピストン５３の第２のピストン突き面５３ａが、第２のシリンジ筒６０内で、薬液の吸入排出を行う第２の薬液シリンジロッド６１の第２のシリンジロッド頭部６１ａと接っして進退可能になることで、第２のシリンジコイルバネ６２を圧縮して、第２の三方口アダプタ５９と第２の送液管Ｂ６５を介して、第２の逆止弁Ｂ６７が、第２の送液方向Ｂ６６に第２薬液容器５５の第２薬液を混合器５０に送液する。なお、混合器５０を省いて貯水タンク９内に第２の送液管Ｂ６５を介して直接送液することも出来る。
【００５５】  第１の薬液ポンプ３３、及び第２の薬液ポンプ５２の薬液量調整について説明する。
【００５６】  ２薬液の消費量が同量でない場合や、薬液の濃度変更に対応することを考慮して薬液量調整が可能である。第１のシリンダ筒３４あるいは第２のシリンダ筒５２の外径部と、第１のシリンジホルダ４５、或は第２のシリンジホルダ６３の内径部に調整範囲に適した長さのネジを施し、第１の調節ナット４６、或は第２の調節ナット６４を任意の位置で固定することによって、第２のピストン突き面５３ａと第２のシリンジロッド頭部６１ａの空間が変化して薬液の吸入と排出量が変化する。
【００５７】  次に、図１０〜図１１を参照しつつ、本発明の男性用節水小便器に使われる第２の実施の形態に係る殺菌消臭水生成装置について詳細に説明する。
【００５８】  第２の実施の形態は、薬液を吸入排出するシリンジ筒と薬液シリンジロッドを市販のシリンジ製品を使わないで簡素化した構造である。ここで、図１０は２組の薬液ポンプにおいて、シリンダ筒内に水を供給しない待機状態を示す断面図。図１１はシリンダ筒内に水を供給して殺菌消臭水の生成を行う状態を示す断面図である。
【００５９】  なお、第１の実施の形態と同様であるが、第１の薬液ポンプ７１と第２の薬液ポンプ８４は同じ構造であり、１組の薬液ポンプを使用して悪臭対策などの単機能効果を対象とする場合と、第１の薬液ポンプ７１と第２の薬液ポンプ８４を直列、或は並列に接続して水と次亜塩素酸ナトリウムと塩酸を混合して強力な殺菌消臭が可能な次亜塩素酸水を生成する方法とを選択できる。
【００６０】  本発明の第２の実施の形態による殺菌消臭水生成装置７０が、作動待機状態にある第１の薬液ポンプ７１について図１０にて説明する。
【００６１】  本実施の形態に係る本発明の殺菌消臭水生成装置７０の動力源となる給水口２からの水は、電磁弁３１を介して給水設備３２に接続された第１の薬液ポンプ７１と第２の薬液ポンプ８４と、さらに、バルブ６８を介して混合器５０に接続する。バルブ６８は給水圧力に応じて第１の薬液ポンプ７１及び第２の薬液ポンプ８４が作動出来る圧力バランスに調整することが出来る。なお、混合器５０は薬液を貯水タンク９内に直接送液する場合は特に必要としない。
【００６２】  第１の薬液ポンプ７１は、給水口２と、電磁弁３１を介して給水設備３２に接続される第１のシリンダ筒７６と、第１のシリンダ筒７６内を進退可能な第１のピストン７７と第１のシリンダ筒７６内の水圧が失われたときに、第１のピストン７７は第１のシリンダーコイルバネ７８が周設され上方に付勢される。
【００６３】  電磁弁を閉じて水圧が失われた（待機状態）給水設備３２は、第１の薬液を貯留する第１薬液容器３７と、第１薬液容器３７に第１の送液管Ａ３８を介して第１の送液方向Ａ８０の第１の逆止弁Ａ８１と、第１のシリンジ筒７９と、第１のシリンダ筒７６を進退可能に設けられる第１のピストン７７の進退動作に伴って、第１の薬液シリンジロッド７７ａが第１のシリンジ筒７９内に第１薬液を貯留して待機する。
【００６４】  次に、本発明の第２の実施の形態による殺菌消臭水生成装置７０が、作動待機状態にある第２の薬液ポンプ８４について図１０にて説明する。
【００６５】  前記第１の薬液ポンプ７１と同様に、第２の薬液ポンプ８４は、給水口２と、電磁弁３１を介して給水設備３２に接続される第２のシリンダ筒８９と、第２のシリンダ筒８９内を進退可能な第２のピストン９０と第２のシリンダ筒８９内の水圧が失われたときに、第２のピストン９０は第２のシリンダーコイルバネ９１が周設され上方に付勢される。
【００６６】  前記第１の薬液ポンプ７１と同様に、電磁弁を閉じて水圧が失われた給水設備３２では、第２の薬液を貯留する第２薬液容器５５と、第２薬液容器５５に第２の送液管Ａ５６を介して第２の送液方向Ａ９３の第２の逆止弁Ａ９４と、第２のシリンジ筒９２と、第２のシリンダ筒８９を進退可能に設けられる第２のピストン９０の進退動作に伴って、第２の薬液シリンジロッド９０ａが第２のシリンジ筒９２内に第２薬液を貯留して待機する。
【００６７】  次に、本発明の第２の実施の形態による殺菌消臭水生成装置７０が、殺菌消臭水を生成する状態にある第１の薬液ポンプ７１について図１１にて説明する。
【００６８】  給水口２から約０．２〜０．７４Ｍｐａの水圧で電磁弁３１を開くと、水は給水設備３２を介して第１の薬液ポンプ７１と、第２の薬液ポンプ８４とバルブ６８と混合器５０を経て貯水タンク９内に噴出する。その際、バルブ６８の調節でバルブ６８からの出水量を制限すると給水設備３２内の水圧は上昇する。この上昇圧力を利用してシリンダー筒内のピストンを進退可能にする。なお、混合器５０は薬液を貯水タンク９内に直接送液する場合は特に必要としない。
【００６９】  給水設備３２内の水圧が上昇すると、第１のピストン７７は、第１のシリンダーコイルバネ７８を圧縮して第１のストッパー用固定ナット７５が第１の防水蓋７３に接触する位置まで移動する。このピストン移動量が吐出される薬液量となり、その際に、第１のシリンダ筒７６内の第１のピストン７７に付設する第１の薬液シリンジロッド７７ａが、第１のシリンジ筒７９内に貯液中の第１薬液容器３７の第１薬液を、第１の送液方向Ｂ８２に第１の逆止弁Ａ８１より第１の送液管Ｂ４７を経て混合器５０に送液する。なお、混合器５０を省いて貯水タンク９内に直接送液することも出来る。
【００７０】  次に、本発明の第２の実施の形態による殺菌消臭水生成装置７０が、殺菌消臭水を生成する状態にある第２の薬液ポンプ８４について図１１にて説明する。
【００７１】  前記第１の薬液ポンプ７１と同様に、給水設備３２内の水圧が上昇すると、第２のピストン９０は、第２のシリンダーコイルバネ９１を圧縮して第２のストッパー用固定ナット８８が第１の防水蓋８６に接触する位置まで移動する。このピストン移動量が吐出される薬液量となり、その際に、第２のシリンダ筒８９内の第２のピストン９０に付設する第２の薬液シリンジロッド９０ａが、第２のシリンジ筒９２内に貯液中の第２薬液容器５５の第２薬液を、第２の送液方向Ｂ９５に第２の逆止弁Ａ９６より第２の送液管Ｂ６５を経て混合器５０に送液する。なお、混合器５０を省いて貯水タンク９内に直接送液することも出来る。
【００７２】  第１の薬液ポンプ７１、及び、第２の薬液ポンプ８４の薬液量調整について説明する。
【００７３】  ２薬液の消費量が同量でない場合や、薬液の濃度変更に対応することを考慮して薬液量調整が可能である。第１のピストン７７、或は第２のピストン９０には液量調節のために第１のネジ７７ｂ、或は第２のネジ９０ｂが付設されいる。第１のシリンダーヘッド７２、或は第２のシリンダーヘッド８５に付設された第１の防水蓋７３、或は第２の防水蓋８６と第１のストッパー用固定ナット７５、或は第２のストッパー用固定ナット８８の空間がそれぞれのピストン移動量となり薬液の吸入と排出量が変化する。
【符号の説明】
【００７４】１          男性用節水小便器
２          給水口
３          制御ケース
４          人感センサ
５          小便器
６          便器ボウル排水口
７          遠心分離切換容器
７ａ        間仕切り部
７ｂ        内円容器部
７ｃ        外円容器部
７ｄ        尿落口
８          ストレーナ
９          貯水タンク
９ａ        取水口
１０        流量計
１１        吸引管
１２        循環ポンプ
１３        送水管
１４        送水経路
１５        洗浄ノズル
１６        穿孔面積
１７        回転ファン
１７ａ      外周面
１７ｂ      回転方向
１８        臭気遮蔽板
１９        排水ダクト管
１９ａ      排水経路
２０        タンク流路
２１        流水方向
２２        フロートスイッチ
２２ａ      フロートスイッチＡ
２２ｂ      フロートスイッチＢ
２３        殺菌消臭水
２４        殺菌消臭水液面
２５        モーター
２６        軟質体ストレーナ
２６ａ      伸縮、折りたたまれた軟質体ストレーナ
２７        把手部
３０        第１の実施例による殺菌消臭水生成装置
３１        電磁弁
３２        給水設備
３３        第１の薬液ポンプ
３４        第１のシリンダ筒
３４ａ      第１の水圧シリンダーストッパ
３５        第１のピストン
３５ａ      第１のピストン突き面
３６        第１のシリンダーコイルバネ
３７        第１薬液容器
３８        第１の送液管Ａ
３９        第１の送液方向Ａ
４０        第１の逆止弁Ａ
４１        第１の三方口アダプタ
４２        第１のシリンジ筒
４３        第１の薬液シリンジロッド
４３ａ      第１のシリンジロッド頭部
４４        第１のシリンジコイルバネ
４５        第１のシリンジホルダ
４６        第１の調節ナット
４７        第１の送液管Ｂ
４８        第１の送液方向Ｂ
４９        第１の逆止弁Ｂ
５０        混合器
５１        第２の薬液ポンプ
５２        第２のシリンダ筒
５２ａ      第１の水圧シリンダーストッパ
５３        第２のピストン
５３ａ      第２のピストン突き面
５４        第２のシリンダーコイルバネ
５５        第２の薬液容器
５６        第２の送液管Ａ
５７        第２の送液方向Ａ
５８        第２の逆止弁Ａ
５９        第２の三方口アダプタ
６０        第２のシリンジ筒
６１        第２の薬液シリンジロッド
６１ａ      第２のシリンジロッド頭部
６２        第２のシリンジコイルバネ
６３        第２のシリンジホルダ
６４        第２の調節ナット
６５        第２の送液管Ｂ
６６        第２の送液方向Ｂ
６７        第２の逆止弁Ｂ
６８        バルブ
７０        第２の実施例による殺菌消臭水生成装置
７１        第１の薬液ポンプ
７２        第１のシリンダーヘッド
７３        第１の防水蓋
７４        第１の回り止め
７５        第１のストッパー用固定ナット
７６        第１のシリンダ筒
７７        第１のピストン
７７ａ      第１の薬液シリンジロッド
７７ｂ      第１のネジ
７８        第１のシリンダーコイルバネ
７９        第１のシリンジ筒
８０        送液方向Ａ
８１        第１の逆止弁Ａ
８２        第１の送液方向Ｂ
８３        逆止弁Ｂ
８４        第２の薬液ポンプ
８５        第２のシリンダーヘッド
８６        第２の防水蓋
８７        第２の回り止め
８８        第２のストッパー用固定ナット
８９        第２のシリンダ筒
９０        第２のピストン
９０ａ      第２の薬液シリンジロッド
９０ｂ      第２のネジ
９１        第２のシリンダーコイルバネ
９２        第２のシリンジ筒
９３        第２の送液方向Ａ
９４        第２の逆止弁Ａ
９５        第２の送液方向Ｂ
９６        第２の逆止弁Ｂ
９７        送水管
【図１】
0006281031.tif 000002
【図２】
0006281031.tif 000003
【図３】
0006281031.tif 000004
【図４】
0006281031.tif 000005
【図５】
0006281031.tif 000006
【図６】
0006281031.tif 000007
【図７】
0006281031.tif 000008
【図８】
0006281031.tif 000009
【図９】
0006281031.tif 000010
【図１０】
0006281031.tif 000011
【図１１】
0006281031.tif 000012